(57)【要約】      （修正有）【課題】正確かつ確実に折り曲げられる罫線を入れることのできるようにした罫線入れ装置を提供する。【解決手段】型（１０）には罫押し刃（１１）を取付ける一方、面板（２０）の表面には罫押し刃（１１）先端部との間の相対的な押し力に応じて弾性変形し得る平坦な弾性部（２５）を設ける。罫押し刃（１１）の先端部と弾性部（２５）とを相対的に接近させ、弾性部（２５）が弾性変形するように、段ボール紙類（３０）を介して相対的に押し付けることにより、段ボール紙類（３０）の罫押し刃（１１）側に凹状の罫線（４５）を、弾性部（２５）側に凸状の罫線（４６）を各々形成する。【選択図】  図２
2004188751.tif 000002
【特許請求の範囲】
【請求項１】
型の罫押し刃と硬質の面板とを相対的に接近させ、段ボール紙類を介して相対的に押し付けることにより段ボール紙類に折り曲げ用の罫線を入れる罫線入れ装置において、
上記型には罫押し刃が取付けられている一方、上記面板の表面には上記罫押し刃先端部との間の相対的な押し力に応じて弾性変形し得る平坦な弾性部が設けられており、
上記罫押し刃の先端部と上記弾性部とが相対的に接近され、上記弾性部が弾性変形するように上記段ボール紙類を介して相対的に押し付けられることにより段ボール紙類の上記罫押し刃側に凹状の罫線が、上記弾性部側に凸状の罫線が各々形成されるようになしたことを特徴とする罫線入れ装置。
【請求項２】
上記型には上記罫押し刃の両側に圧潰部が上記罫押し刃の先端部を突出させた状態で取付けられ、上記圧潰部は下面が実質的に平坦をなす一方、上記弾性部は上記面板表面からの上面の高さが上記罫押し刃との間の相対的な押し付け時に上記圧潰部とともに段ボール紙類をほぼ潰し得る高さに設定されている請求項１記載の罫線入れ装置。
【請求項３】
上記弾性部が弾性材料からなる所定厚さのテープ状をなし、上記面板の表面に貼り付けられている請求項１又は２記載の罫線入れ装置。
【請求項４】
上記テープ状の弾性部の上面には上記圧潰部とともに段ボール紙をほぼ潰し得る高さとなるように溝切りテープが上記罫押し刃の刃厚よりも大きな間隔をあけて貼り付けられている請求項３記載の罫線入れ装置。
【請求項５】
型の罫押し刃と硬質の面板とを相対的に接近させて段ボール紙を介して相対的に押し付けることにより段ボール紙類に折り曲げ用の罫線を入れる罫線入れ装置において上記面板に貼り付けられ、上記罫押し刃両側の圧潰部とともに段ボール紙類を実質的に圧潰する弾性テープであって、
弾性材料からなる所定厚さのテープの表面には上記圧潰部とともに段ボール紙類をほぼ潰し得る高さとなるように溝切りテープが罫押し刃の刃厚よりも大きな間隔をあけて貼り付けられていることを特徴とする罫線入れ装置の弾性テープ。
【発明の詳細な説明】
【０００１】
【発明の属する技術分野】
本発明は罫線入れ装置に関し、例えば段ボール紙を正確かつ確実に折り曲げられる罫線を入れることのできるようにした装置に関する。
【０００２】
【従来の技術】
段ボール箱を製造する場合、例えば図５に示される素形材１００を段ボール紙の原紙から打ち抜くことから始まる。この素形材１００には打ち抜きと同時に、箱形状に組立てる時に折り目となる罫線１１１〜１１５が入れられることが多い。通常、この種の素形材１００については打ち抜き後に罫線１１３、１１５に沿って２つに折り曲げ、糊代部分１１６を接着剤で接着して出荷することが行われている。
【０００３】
従来、打ち抜き時に罫線を入れる場合、図７の（ａ）に示されるように、抜き型１０と金属製面板２０とを相対的に接近し得るように設け、抜き型１０には罫押し刃１１を取付け、面板２０と型１０との間に段ボール紙３０をセットし、型１０と面板２０を相対的に接近させ、素形材１０を折り曲げる時に内側となる面に罫押し刃１１を押し付けるようにしていた。
【０００４】
図７の（ａ）に示される罫線入れ装置によって形成された罫線の形態を図７の（ｂ）に模式的に示す。段ボール紙３０は基本的には表裏のライナー３１、３２の間に波状の中芯３３を接着した構造をなし、折り曲げる時に内側となるライナー３１には罫押し刃１１によって押圧され、凹状に変形して罫線４０となるが、外側のライナー３２は実質的に真っ直ぐな形状のままである。。
【０００５】
しかるに、上述のような形状の罫線４０の場合、折り曲げを行うと素形材１００が罫線１１３、１１５で正確に折り曲げられず、隣接する部位に折り目が形成されてしまい、例えば図６の（ａ）（ｂ）に示されるような不良品が発生することがあった。
【０００６】
これに対し、罫線の断面形状を工夫するようにした罫線入れ装置が種々提案されている（例えば、特許文献１、特許文献２、特許文献３、特許文献４、特許文献５、特許文献６、等参照）。
【０００７】
【特許文献１】特開平１１−１０７５３号公報
【特許文献２】特開平１１−１０７５３号公報
【特許文献３】特開平１１−３４１８５号公報
【特許文献４】特開平１０−２７８１３３号公報
【特許文献５】特開平１０−２８６８９３号公報
【特許文献６】特開２０００−８５０３２号公報
【０００８】
上述の特許文献に記載の罫線入れ装置は原理的には図８の（ａ）又は図９の（ａ）に示される方式を単独で又は組合せて採用したものである。
【０００９】
図８の（ａ）に示される方式では罫押し刃１１の両側に下面を斜めにカットしたコルク１２を設ける一方、必要に応じて面板２０に溝切りテープ２１を貼り付けており、段ポール紙３０には図８の（ｂ）に示されるように内側ライナー３１に中央に向けて窪んだ傾斜面４２が形成され、その中央に罫線４１が形成される。
【００１０】
図９の（ａ）に示される方式では面板２０の表面凸状となったテープ２２を貼り付けており、段ポール紙３０には図９の（ｂ）に示されるように内側ライナー３１及び外側ライナー３２に凹状の罫線４３が形成される。
【００１１】
【発明が解決しようとする課題】
しかし、上記改良された罫線入れ装置においても罫線から外れた部位で折り目ができてしまい、製品不良の原因になることがあった。
【００１２】
本発明はかかる問題点に鑑み、正確かつ確実に折り曲げられる罫線を入れることのできるようにした罫線入れ装置を提供することを課題とする。
【００１３】
【課題を解決するための手段】
本発明に係る罫線入れ装置は、型の罫押し刃と硬質の面板とを相対的に接近させて段ボール紙類を介して相対的に押し付けることにより段ボール紙類に折り曲げ用の罫線を入れる罫線入れ装置において、上記型には罫押し刃が取付けられている一方、上記面板の表面には上記罫押し刃先端部との間の相対的な押し力に応じて弾性変形し得る平坦な弾性部が設けられており、上記罫押し刃の先端部と上記弾性部とが相対的に接近され、上記弾性部が弾性変形するように上記段ボール紙類を介して相対的に押し付けられることにより段ボール紙類の上記罫押し刃側に凹状の罫線が、上記弾性部側に凸状の罫線が各々形成されるようになしたことを特徴とする。
【００１４】
本発明の特徴の１つは硬質の面板に弾性部を設け、罫押し刃の先端の押し付けによって弾性部を弾性変形させるようにした点にある。
【００１５】
これにより、段ボール紙類の罫押し刃側には凹状の罫線が、弾性部側には凸状の罫線が各々形成される。そして、段ボール紙類の罫押し刃側を内側、弾性部側を外側にして段ボール紙類を罫線に沿って折り曲げると、願ボール紙類の外側及び内側の面には折り曲げる方向に突出した罫線が形成されているので、段ボール紙類は罫線に沿って正確に折り曲げられる。
【００１６】
ここで、本発明は段ボール紙への罫線入れに適用するとその効果が大きいが、表裏のライナー及び中芯に合成樹脂材料を用いた段ボール樹脂板にも同様に適用でき、さらには表裏の紙製のライナーの間に発泡合成樹脂板や合成樹脂製の波状の中芯を介在させた板紙、全体が１枚の厚紙でできた板紙、その他の材料や形態の板体の場合にも正確に折り曲げることのできる罫線を入れることができる。請求項における「段ボール紙類」とは上述のような板体を全て含むことを意味している。
【００１７】
また、段ボール紙類のうち、表裏のライナーの間に波状の中芯を接着し、波状の中芯によって機械的な強度を確保する構造の場合、罫線近傍の中芯の波状がそのまま残存していると、罫線の近傍のライナーに引っ張り力又は圧縮力が作用して罫線以外の部位に折り目ができるおそれがあるので、罫線の近傍の中芯の波状を潰すことが望ましい。しかも、このように圧潰すると、軽い力で折り曲げることが可能となる。
【００１８】
そこで、型には罫押し刃の両側に圧潰部を、罫押し刃の先端部を突出させた状態で取付け、圧潰部は下面が実質的に平坦となす一方、弾性部は面板表面からの上面の高さが罫押し刃との間の相対的な押し付け時に圧潰部とともに段ボール紙類をほぼ潰し得る高さに設定するのがよい。
【００１９】
弾性部は面板に表面層を形成し、その物性を調整して一部に弾性を付与することにより構成してもよいが、面板の表面に貼り付ける方式が簡単である。即ち、弾性部を弾性材料からなる所定厚さのテープ状となし、面板の表面に貼り付けるようにするのがよい。
【００２０】
このテープ状の弾性部は段ボール紙類の厚さその他の条件に応じて複数の厚みを準備してもよいが、コスト高となるおそれがある。そこで、別体のテープを貼り付けて面板からの高さを調整できるようにするのがよい。即ち、テープ状の弾性部の上面には圧潰部とともに段ボール紙類をほぼ潰し得る高さとなるように溝切りテープを罫押し刃の刃厚よりも大きな間隔をあけて貼り付けるようにするのがよい。
【００２１】
弾性部は罫押し刃との相対的な押し付けによって所望の弾性変形ができれば特にその材料は限定されないが、コストを考慮すると、例えばゴムや軟質の合成樹脂材料を用いることができる。
【００２２】
圧潰部は段ボール紙類を実質的に圧潰できれば特に材料は限定されないが、コストを考慮すると、コルクあるいはコルクに相当する硬さのゴムや合成樹脂材料を用いることができる。
【００２３】
型、面板及び罫押し刃については従来の罫線入れ装置と同様のものを用いることができる。
【００２４】
また、溝切りテープを張りつけた弾性テープも新規である。即ち、本発明によれば、型の罫押し刃と面板とを相対的に接近させて段ボール紙類を介して相対的に押し付けることにより段ボール紙類に折り曲げ用の罫線を入れる罫線入れ装置において上記面板に貼り付けられ、上記罫押し刃両側の圧潰部とともに段ボール紙類を実質的に圧潰する弾性テープであって、弾性材料からなる所定厚さのテープの表面には上記圧潰部とともに段ボール紙類をほぼ潰し得る高さとなるように溝切りテープが罫押し刃の刃厚よりも大きな間隔をあけて貼り付けられていることを特徴とする罫線入れ装置の弾性テープを提供することができる。
【００２５】
【発明の実施の形態】
以下、本発明を具体例に基づいて詳細に説明する。図１及び図２は本発明に係る罫線入れ装置の好ましい実施形態を示す。罫線入れ装置は抜き型（型）１０と金属製面板２０とを備え、面板２０は装置固定構造部分に固定され、押し型１０は装置固定構造部分に対して上下動自在に設けられ、駆動シリンダ等の公知の駆動源によって下方に移動されるようになっている。
【００２６】
抜き型１０には罫押し刃１１が取付けられるとともに、その両側には圧潰体（圧潰部）１５が取付けられている。この圧潰体１５は例えばコルクを用いて製作され、幅は段ボール紙（段ボール紙類）３０が罫線に沿って円滑に折り曲げられる程度の寸法、例えば片側２５〜３５ｍｍ程度の寸法になっている。
【００２７】
他方、面板２０には罫押し刃１５と対面する位置に弾性テープ（弾性部）２５が貼り付けられている。この弾性テープ２５は軟質の天然ゴムあるいは軟質の合成ゴムを用いて製作され、圧潰体１５とほぼ同一の幅、段ボール紙３０に圧潰凹所４８が形成され得る厚さに形成されている。
【００２８】
なお、抜き型１０には段ボール紙３０の原紙から素形材を打ち抜くための打ち抜き刃が設けられているが、本発明とは直接関係しないので、その説明は省略する。また、抜き型を利用して罫線入れ装置を構成したが、罫線入れ装置を単独で構成することもできる。
【００２９】
段ボール紙３０の原紙を抜き型１０と面板２０との間にセットし、抜き型１０を下降させて段ボール紙３０の原紙に押し付けると、段ボール紙３０の原紙は罫押し刃１０の先端部と弾性テープ２５との間に挟まれ、さらに抜き型１０が下降すると、罫押し刃１０及び圧潰体１５が段ボール紙３０の原紙を加圧してゆく。
【００３０】
抜き型１０が所定のストロークだけ下降すると、罫押し刃１１の先端部と弾性テープ２５との間に段ボール紙３０の原紙が挟まれた状態で弾性テープ２５が弾性変形され、図３の（ａ）に示されるように、段ボール紙３０の原紙の罫押し刃１１側のライナー３１には凹状の罫線４５が、弾性体２５側のライナー３２には凸状の罫線４６が形成される。
【００３１】
同時に、圧潰体１５と弾性テープ２５との間には段ボール紙３０の原紙の罫線４５、４６近傍の部分が挟まれるが、弾性テープ２５が弾性変形できるので、圧潰体１５と弾性テープ２５との間は十分に接近して実質的に段ボール紙３０の原紙は圧潰され、図３の（ａ）に示されるように、罫線４５、４６に隣接して凹所４７、４８が形成される。図８に示す方式では罫押し刃の先端が金属製の面板と当たると、それ以上のストロークができず、段ボール紙を十分に圧潰することができない点で、本例の方式とは異なっている。
【００３２】
抜き型１０が所定のフルストロークをすると、段ボール紙３０の原紙から、罫線４５、４６の入った段ボール箱の素形材が打ち抜かれることとなる。
【００３３】
この素形材を形成４５、４６に沿って折り曲げると、罫線４５及び罫線４６はおのおの折り曲げの方向に突出した形状となっているので、罫線４５、４６及びその近傍に無理な荷重が作用せず、罫線４５、４６に沿って円滑に折り曲げられる。しかも、罫線４５、４６近傍の段ボール紙３０の中芯３３の波状が潰されているので、罫線４５、４６に余分な引っ張り力や圧縮力が作用せず、段ボール紙３０は罫線４５、４６に沿って小さな力で正確にかつ確実に折り曲げられ、製品不良の発生を確実に防止できることとなる。
【００３４】
図４は第２の実施形態を示す。図において、図１及び図２と同一符号は同一又は相当部分を示す。本例では弾性テープ２５の表面に溝切りテープ２６が罫押し刃１１の刃幅よりも大きい間隔をあけて貼り付けられている。
【００３５】
本例においては図４の（ｂ）に示されるように、弾性テープ２５側のライナー３２には溝切りテープ２６の形状に応じた凹所４９が形成されることとなる。
【００３６】
したがって、弾性テープ２５の厚みを一定にし、溝切りテープ２６の厚みを変更することによって異なる厚みの段ボール紙への罫線入れに対応できる。
【図面の簡単な説明】
【図１】本発明に係る罫線入れ装置の好ましい実施形態を示す構成図である。
【図２】上記実施形態における罫線を入れ終えた状態を示す図である。
【図３】上記実施形態において得られた罫線の形状及び折り曲げた状態を示す図である。
【図４】第２の実施形態を示す図である。
【図５】段ボール箱の素形材を示す図である。
【図６】不良品の２つの例を示す図である。
【図７】従来の罫線入れ装置の１例及び罫線の形状を示す図である。
【図８】従来の他の罫線入れ装置及び罫線の形状を示す図である。
【図９】従来のさらに他の罫線入れ装置及び罫線の形状を示す図である。
【符号の説明】
１０        抜き型（型）
１１        罫押し刃
１５        圧潰体（圧潰部）
２０        面板
２５        弾性テープ（弾性部）
２６        溝切りテープ
３０        段ボール紙
３１、３２        ライナー
３３        中芯
４５、４６      罫線
４７、４８、４９      凹所
【図１】
2004188751.tif 000003
【図２】
2004188751.tif 000004
【図３】
2004188751.tif 000005
【図４】
2004188751.tif 000006
【図５】
2004188751.tif 000007
【図６】
2004188751.tif 000008
【図７】
2004188751.tif 000009
【図８】
2004188751.tif 000010
【図９】
2004188751.tif 000011